(57)【要約】【課題】    小さなエネルギで強制閉鎖手段を有する自然換気装置を提供する【解決手段】  建物の内と外とが連通された横長のダクト１内に同じく横長で揺動する羽根４がダクト１外側に付設の軸受１１を介して挿通された支持軸５により揺動自在に軸固定されてなる自然換気装置であって羽根４の先端近くに支持軸５と平行に回動軸６が設けられこの回動軸６に先端ローラ７を有するアーム８が設けられて電動または手動による強制閉鎖装置によって羽根４が室内側開口部３を閉塞し、更に羽根４がロックされることを特徴とする自然換気装置【選択図】  図１
2006189234.tif 000002
【特許請求の範囲】
【請求項１】
建物の内部と外部とが連通された構造の横長のダクト内に横長の羽根が設けられこの羽根が風に対し揺動自在になるようにダクト外側から軸受を介して挿通された支持軸に羽根の上部側が軸固定され上記ダクトの室内側開口部の周縁または室内側開口部周縁に当接する羽根周縁部のいずれか一方にシール部材が設けられ更にこの羽根が設定最大振れ位置に達した時上記羽根のうち上記支持軸より下の部分によって室内側開口部が閉塞されるように構成されてなる自然換気装置において上記羽根より建物開口側に上記支持軸と平行に回動軸が貫通されこの回動軸に先端ローラを有するアームが軸固定され上記回動軸が電動式または手動式強制回動手段により回動することによって強制的に上記羽根が上記室内側開口部を閉鎖することを特徴とする自然換気装置
【請求項２】
上記回動軸が上記強制回動手段により回動して強制的に上記羽根でもって上記室内側開口部を全閉させた時上記羽根が動かないように上記羽根または上記強制回動手段に羽根ロック手段が設けられてなることを特徴とする請求項１記載の自然換気装置
【請求項３】
建物の外に風センサが設けられ上記電動式の強制回動手段がこの風センサと連動して設定以上の風が検知された時自動的に強制回動して上記羽根が上記室内側開口部を閉鎖することを特徴とする請求項１または請求項２記載の自然換気装置
【発明の詳細な説明】
【技術分野】
【０００１】  本発明装置は、建物の内部と外部との間に設けられた横長の換気ダクトの中に羽根を付設して風の強弱により羽根を自然揺動させて室内への外気流入を調整する換気装置で羽根を強制的に移動させて出口を塞ぐ手段を有する換気装置に関する。
【背景技術】
【０００２】  ここ最近、省エネや環境問題が叫ばれてエコが流行し、そのため自然換気を取り入れる方法が種々工夫されてきていた。例えば無目を利用して室内を換気する装置（特許文献１参照）や建物外壁に換気口を設け建物内外を連通させた風洞を設け風洞内に風量調整弁を設けた自然換気装置（特許文献２参照）などが提供されてきていたし、また本発明者もまた給気装置（特許文献３参照）を提供した。【０００３】
【特許文献１】  特開昭５９−２８０７号公報
【特許文献２】  特開平１０−２３２０３９号公報  図１、図４と第３ページ段落００１５〜段落００１７
【特許文献３】  特願２００４−２５９０１５号公報  図１
【発明の開示】
【発明が解決しようとする課題】
【０００４】  しかしながら特許文献１のものは回動蓋により室内への風の流出量を手動により調整することが出来るが、風の流入量に応じて内部流出量を自動的に調整することが出来ないという不都合があり、特許文献２の図１、図４はそれぞれ下枠、上枠に設けられた定風量自然換気装置であり、それぞれに風量調整弁、逆流制御弁が設けられているが逆流制御は室内から機械的に放出される場合は必要であるが自然換気の場合は不要なものであり余分な装置の取付という不都合があり、また強制的に全閉することが出来ないという不都合があり、本発明者が提供した特許文献３のものは強制閉鎖時に羽根を強制移動させるためには羽根が軸着された支持軸を回動させる必要があり、そのためには大きな力が必要であるという不都合が発生してきた。本発明はかかる不都合を解決することを目的として提供されたものである。
【課題を解決するための手段】
【０００５】  本発明者は自然換気装置の強制閉鎖手段として支持軸自身を強制回動させずに別の回動軸を設けてそれにアームを取り付けしこのアームを用いて羽根を強制閉鎖させることにより掛かる不都合を解決した。即ち本発明は一つには建物の内部と外部とが連通された構造の横長のダクト内に横長の羽根が設けられこの羽根が風に対し揺動自在になるようにダクト外側から軸受を介して挿通された支持軸に羽根の上部側が軸固定され上記ダクトの室内側開口部の周縁または室内側開口部周縁に当接する羽根周縁部のいずれか一方にシール部材が設けられ更にこの羽根が設定最大振れ位置に達した時上記羽根のうち上記支持軸より下の部分によって室内側開口部が閉塞されるように構成されてなる自然換気装置において上記羽根より建物開口側に上記支持軸と平行に回動軸が貫通されこの回動軸に先端ローラを有するアームが軸固定され上記回動軸が電動式または手動式強制回動手段により回動することによって強制的に上記羽根が上記室内側開口部を閉鎖することを特徴とする自然換気装置であり、また一つは上記回動軸が強制回動手段により回動して強制的に上記羽根で上記室内側開口部を全閉させた時上記羽根が動かないように上記羽根または上記強制回動手段に羽根ロック手段が設けられてなることを特徴とする自然換気装置であり、また一つは建物の外に風センサが設けられ上記電動式の強制回動手段がこの風センサと連動して設定以上の風が検知された時自動的に強制回動して上記羽根が上記室内側開口部を閉鎖することを特徴とする自然換気装置である。【０００６】  上記した羽根ロック手段とは例えば回動軸の駆動手段として回動軸とモータ軸との間にウォームとウォーム歯車を用いたパワーボックスを連結して羽根が全閉時に押さえられた時回動軸が正転も逆転も容易にできないようにしても良いし、全閉時に先端ローラ当接部の羽根部分にロック用の溝を設けても良いし、逆に小さな山型を設けて先端ローラが山型部を越せば容易に進めも戻りも出来ないように構成することをいいロック手段はその他の方法であっても良い。【０００７】  建物内外の圧力差で外のほうが大の場合、風は建物内部に向かって吹き込むことになる。羽根の揺動状態は風の通風状態により決定され、風が強ければそれに応じて室内側開口部向に回動し、風が弱まれば自然に戻り、その戻り具合は風の強弱による。また、瞬間吹いて一瞬止む場合は大きく振れ惰性で大きく戻る場合もあり、その時は回動軸またはローラに衝撃的に衝突することがあるので通常時のアームの停止位置を考慮することと同時に回動軸にも衝突しないように回動軸自身に衝撃吸収体を設けることが望ましい。衝撃吸収体を設けることにより羽根による衝撃が吸収されて羽根の揺動は小さくて済む。
【発明の効果】
【０００８】  本発明の自然換気装置は自然力（風の力）のみによる羽根の揺動で室内側開口部の開閉を自動コントロールするため省エネであり、また自動コントロールで略一定量の換気が可能である。また、羽根は上部側で支持され室内側開口部は羽根のうち支持軸より下部のみによって閉鎖されるため閉鎖面は一平面上となりシール部材を用いて室内側開口部周縁をシールする作業が容易に出来る。また羽根の先端側をアームで押してゆくため小さな力での閉鎖が可能であり駆動用モータも小さなもので済むという効果があり、羽根ロック手段は建物の内外の圧力差がどのように変化しても羽根がロックされて室内側開口部が閉塞され空気の出入が出来なくて外気の影響を室内に影響を及ぼさないという効果がある。
【発明を実施するための最良の形態】
【０００９】  本発明の自然換気装置は横長のダクト１内に同じく横長の羽根４を設けてダクト１の外より軸受１１を介して羽根４を軸固定させて揺動可能にしたものであり、図１は実施例の自然換気装置の断面図、図２は横長のダクト内構造と強制閉鎖装置の斜視図である。図２の破断部において２点鎖線で示したものは破断部がなかった場合に見える部分がつながっていることを示すものである。
【実施例】
【００１０】  まず構成について説明すると、図１、図２において、建物内外の圧力差で外のほうが高い場合、図１に白抜きの矢印で示したように、外気はダクト１の建物側開口部２から流入して室内側開口部３から室内側に流出される。このダクト１内には横長の羽根４が設けられこの羽根４の上部側がダクト１側面の両外側から軸受１１を介して挿通された支持軸５により風に対し揺動自在になるように軸固定されている。そしてその羽根４に対し更に建物側開口部２側で羽根４の先端部に近い側の位置に同じくダクト１側面の両外側から軸受１２を介して挿通された回動軸６が設けられ更にこの回動軸６に先端ローラ７が設けられてなるアーム８が羽根４の前に設けられ更に回動軸６に衝撃吸収体１０が設けられてなる自然換気装置である。【００１１】  この自然換気装置は羽根４が設定最大振れ位置に達した時ちょうどこの室内側開口部３周縁部に設けられたシール材としてのタイトゴム９に羽根４のうち支持軸５より下の部分に当接して室内側開口部３が閉塞されるように構成されてなる。また、この羽根４は外からの風の流入がない時には建物開口部方向側に所定角度で傾斜されてバランス停止されるように構成されている。これはダクト１の外側に突出された支持軸５端に羽根４の停止位置調整用バランスウェイト１７が設けられおり、羽根４は所定傾斜角度で停止可能に調整されている。ただ羽根４を垂下位置で停止させる場合にはこの羽根４停止位置調整用バランスウェイト１７を取り外せば良い。【００１２】  次に羽根４の強制閉鎖装置について説明するとダクト１の外側に突出された回動軸６端にはフランジジョイント１３が設けられてウォーム付軸とウォーム歯車付軸との組合せで構成されたパワーボックス１４の出力軸とが連結され更にこのパワーボックス１４の一方端の入力軸にはギヤドモータ１５の軸が連結され他方端には手動ハンドル１６が嵌め込み容易になるように軸加工されてなるが、ハンドル１６は通常時には危険を伴うためはずした状態で設置されており取付固定されていない。【００１３】  次に動作について説明する。図１において白抜きの矢印で示したように外気はダクト１の建物の開口部２から流入して室内側開口部３から室内流出される。無風状態の時羽根４は図１の実線で示した位置にあり、風の強さにより第２次設定量すなわち設定最大風速においては２点鎖線で示した位置まで支持軸５を中心に移動し、羽根４は両方向矢印で示したこの間を揺動することになる。羽根４は無風状態から第１次設定量までの風であれば停止状態を保ち、第１次設定量を越えると羽根４は風の力に応じて右方向に回動し、第２次設定量以上で羽根６が室内側開口部３周縁部のタイトゴム９に当接して室内側開口部３を塞ぎ、風が弱まれば風の強さに応じて自然に戻ることになる。また、急激な戻りに対しては衝撃吸収体１０が衝撃を緩和して羽根４の揺動を減衰させてくれる。【００１４】  次に強制的に室内側開口部３を閉鎖する動作について説明する。建物の外部に設けられたセンサ（図示せず）から送られてきた信号によりギヤドモータ１５が作動してパワーボックス１４を介して回動軸６が次第に回動してアーム８先端のローラ７も同時に回動してゆく。そしてローラ７が羽根４に��接すると今度は次第に羽根４を押しながら室内側開口部３に向かわせる。そして羽根４が室内側開口部３周縁部のタイトゴム９に密接するのと同時にリミットスイッチ（図示せず）が働いてギヤドモータ１５の回転を停止させることになる。一旦停止するとパワーボックス１４のウォームとウォームギヤとの組合わせとギャドモータ１５の歯車列とが回動軸のロック作用となって羽根４を全閉位置でロックすることになる。【００１５】  次に強制的に閉鎖させた羽根を解放する動作について説明すると、閉鎖解除スイッチ（図示せず）を押すと今度は閉鎖解除信号によりギヤドモータ１５が逆転してパワーボックス１４を介して回動軸６が次第に逆転してアーム８先端のローラ７も同時に反転してゆき、それと同時に羽根４は密接から解放されて自重により室内側開口部３から離れて当初設定位置まで戻る。回動軸６は更に回動してアームが初期設定位置まで戻ったと同時にリミットスイッチ（図示せず）が働いてギヤドモータの回転を停止させることになる。回動軸に取付されたアーム先端側の移動状況は図１に両方向の矢印で示す。【００１６】  この羽根強制閉鎖装置を手動式で閉鎖させる場合を説明すると手動式の場合はパワーボックス１４入力軸のギヤドモータ１５軸連結と反対側の軸にハンドル１６を嵌めてまわすことにより回動軸に回転伝達されて回動する。あとは電動式と同じ動作をおこなうが閉鎖完了はハンドル回転が重くなったところで停止する。また解放動作はハンドル回転を逆転させるだけであとは電動式と同じ動作をおこなうが解放完了はハンドル回転が重くなったところで停止する。これはダクト外のハンドル軸部に設けられたストップレバー（図示せず）がダクトの外側に設けられたストッパに当接したことを意味している。
【図面の簡単な説明】
【００１７】
【図１】  実施例の自然換気装置の断面図
【図２】  自然換気装置の一部破断部による構造の説明および強制閉鎖装置の構成説明用の斜視図
【符号の説明】
【００１８】  １  ダクト
２  建物の開口部
３  室内側開口部
４  羽根
５  支持軸
６  回動軸
７  ローラ
８  アーム
９  タイトゴム
１０  衝撃吸収体
１１  軸受
１２  軸受
１３  フランジジョイント
１４  パワーボックス
１５  ギヤドモータ
１６  ハンドル
１７  バランスウェイト
【図１】
2006189234.tif 000003
【図２】
2006189234.tif 000004